(57)【要約】【課題】使用者が圧迫感を覚えることなく、容易に前腕部分を支持して前倒れを防止できる便器の手摺り構造およびこの手摺り構造を備えた移動用便器を提供することを目的としている。【解決手段】便座12を側方から挟むように設けた側方手摺り22が、側方手摺り本体部25と、前腕支持アーム26を備え、前腕支持アーム26が側方手摺り本体部25に重なる肘掛け位置と、一端が便座12の前方に突出するとともに、他方の前腕支持アーム26との間で略ハの字形を形成し、前傾姿勢の使用者が前腕を支持可能な前倒れ防止位置を選択可能に、かつ、使用者が便座12に着座状態で回動可能に、その他端部が側方手摺り本体部25に枢支されている構成とした。【選択図】      図２
2016202225.tif 000002
【特許請求の範囲】
【請求項１】
２本の側方手摺りが、便座を側方から挟むように設けられた便器の手摺り構造であって、
前記２本の側方手摺りは、側方手摺り本体部と、前腕支持アームをそれぞれ有し、
前記前腕支持アームは、前記側方手摺り本体部に重なる肘掛け位置と、一端が便座前方に突出するとともに、他方の前腕支持アームとの間で略ハの字形を形成し、前傾姿勢の使用者が前腕を支持可能な前倒れ防止位置を選択可能に、使用者が便座に着座状態で回動可能に、その他端部が前記側方手摺り本体部に枢支されていることを特徴とする便器の手摺り構造。
【請求項２】
前腕支持アームは、肘掛け位置から前倒れ防止位置までの回転角度が９０度を超え１８０度未満となるように側方手摺り本体部に枢支されている請求項１に記載の便器の手摺り構造。
【請求項３】
請求項１または請求項２に記載の手摺り構造の側方手摺りを備えていることを特徴とする移動用便器。
【請求項４】
側方手摺りは、側方手摺り本体部の少なくとも前腕支持アームが重ね合わされる部分が、前記前腕支持アームの上面が便座の高さ位置まで降下可能に支持されている請求項３に記載の移動用便器。
【発明の詳細な説明】
【技術分野】
【０００１】
本発明は、便器の手摺り構造および移動用便器に関する。
【背景技術】
【０００２】
高齢者や障害者が使用するトイレや移動用便器（ポータブル便器）には、車椅子などから便座への乗り移り（以下、「移乗」と記す）や、便座からの立ち上りを安全に行うために、手摺りが設けられている。
一方、高齢者は、円背になっていることが多く、用便時に便座に着座しても前屈みの姿勢になることが多い。
【０００３】
また、高齢になると排便障害により、便座に座っても中々スムーズに排便できず、便座に座っている時間が長くなる傾向がある。
そこで、長時間の着座時にも大きく前倒れしないように体を支えるために、前方手摺りを備え手摺り装置が提案されている（特許文献１）。
【０００４】
すなわち、この手摺り装置は、便座を両側から挟むように設けられた側方手摺りのうち、一方の手摺りの先端に前方手摺りを枢支し、便座への着座時や便座からの立ち上り時には、前方手摺りを垂直に立てた状態にしておき、前方手摺りが邪魔にならないようにしておき、着座後に、前方手摺りを他方の側方手摺り側に倒し、前方手摺りによって、便座に着座した使用者が腕や手で前倒れしないように体を支えることができるようにしている。
【先行技術文献】
【特許文献】
【０００５】
【特許文献１】特開2011-19805号公報
【発明の概要】
【発明が解決しようとする課題】
【０００６】
ところで、上記の手摺り装置の場合、着座するとき、あるいは、立ち上り時には前方手摺りを一方の側方手摺り側で立ち上げた状態にしておかなければならず、一方の側方手摺り先端側に前方手摺りの荷重が集中的にかかりバランスが悪い。特に係る手摺り装置を移動用便器に採用した場合、便座への乗り移りの際などに便器本体を重いものにしないと、便器が倒れるおそれがある。
しかし、便器をあまり重いものにすると、容易に移動させることができにくくなる。
【０００７】
また、上記手摺り装置の場合、使用者が前方手摺りに安全に肘をかけようとすると、前方手摺りを便座にある程度近づける必要がある。
しかし、前方手摺りを便座に近づけると、前方手摺りを立てて使用している場合に、使用者が圧迫感を覚えて、使用者にストレスを与えるおそれがある。
【０００８】
また、上記の手摺り装置の場合、前倒れ防止位置では、前方手摺りが使用者の正面方向に対して直角に配置されるで、使用者が前腕部全体を前方手摺りに受けさせようとすると、肩などに負担がかかりやすい。
【０００９】
本発明は、上記事情に鑑みて、使用者が圧迫感を覚えることなく、容易に前腕部分を支持して前倒れを防止できる便器の手摺り構造およびこの手摺り構造を備えた移動用便器を提供することを目的としている。
【課題を解決するための手段】
【００１０】
上記目的を達成するために、本発明にかかる便器の手摺り構造（以下、「本発明の手摺り構造」と記す）は、２本の側方手摺りが、便座を側方から挟むように設けられた便器の手摺り構造であって、前記２本の側方手摺りは、側方手摺り本体部と、前腕支持アームをそれぞれ有し、前記前腕支持アームは、前記側方手摺り本体部に重なる肘掛け位置と、一端が便座前方に突出するとともに、他方の前腕支持アームとの間で略ハの字形を形成し、前傾姿勢の使用者が前腕を支持可能な前倒れ防止位置を選択可能に、使用者が便座に着座状態で回動可能に、その他端部が前記側方手摺り本体部に枢支されていることを特徴としている。
【００１１】
本発明の手摺り構造は、前腕支持アームは、肘掛け位置から前倒れ防止位置までの回転角度が９０度を超え１８０度未満（好ましくは１２０度〜１４０度）となるように側方手摺り本体部に枢支されていることが好ましい。
すなわち、肘掛け位置から前倒れ防止位置まで、あるいは、前倒れ防止位置から肘掛け位置まで、前腕支持アームを回転する際に、前腕支持アームが便座の幅方向外側に飛び出すことが決してない。したがって、便器と壁やベッド等との間にほとんど隙間を開けなくて便器を設置することができ、便器の設置位置の選択性が高い。
【００１２】
本発明にかかる移動用便器（以下、「本発明の移動用便器」と記す）は、本発明の手摺り構造の側方手摺りを備えていることを特徴としている。
【００１３】
本発明の移動用便器は、側方手摺りを、側方手摺り本体部の少なくとも前腕支持アームに重ね合わされる部分が、前記前腕支持アームの上面が便座の高さ位置まで降下可能に便器本体に支持されている構造とすることが好ましい。
すなわち、一方の側方手摺りがベッドサイド等に沿うように移動用便器を設置しておくと、側方手摺り本体部の少なくとも前腕支持アームに重ね合わされる部分を前腕支持アームに重ね合わせた状態で側方手摺り本体部の少なくとも前腕支持アームに重ね合わされる部分を前腕支持アームの上面が便座高さとなるように降下させれば、ベッド等から便座への移乗をスムーズに行える。
また、車椅子等からの移乗も容易に行える。
【発明の効果】
【００１４】
本発明の手摺り構造は、上記のように、２本の側方手摺りが、便座を側方から挟むように設けられた便器の手摺り構造であって、前記２本の側方手摺りは、側方手摺り本体部と、前腕支持アームをそれぞれ有し、前記前腕支持アームは、前記側方手摺り本体部に重なる肘掛け位置と、一端が便座前方に突出するとともに、他方の前腕支持アームとの間で略ハの字形を形成し、前傾姿勢の使用者が前腕を支持可能な前倒れ防止位置を選択可能に、使用者が便座に着座状態で回動可能に、その他端部が前記側方手摺り本体部に枢支されている。
【００１５】
したがって、前腕支持アームを側方手摺り本体部に重なる肘掛け位置にしておくことで、側方手摺りを持って、車椅子等から安全にかつ容易に便座に移乗することができるとともに、便座から立ち上がって、車椅子等に移乗することができる。
そして、便座へ着座後は、側方手すりを肘掛けとして利用できるとともに、前腕支持アームを前倒れ防止位置まで回転させると、前傾姿勢の使用者が、前腕支持アームに前椀部
を支持させて、前倒れを防止することができる。
【００１６】
また、前倒れ防止位置では、両前腕支持アームがハの字形になるため、使用者が前腕部全体を前腕支持アームに支持させるようにしても、肩関節等に大きな負担をかけることなく安定して体を支えることができるとともに、使用者の前方でハの字形の空間を形成するため、使用者に圧迫感を与えない。
【００１７】
しかも、前腕が肘から手首まで前腕支持アームに支持されるため、長時間使用していても、使用者の体重により、前腕にかかる圧力が肘から手首まで分散され、局部的に血行不良を起こし、皮膚組織の壊死を招くという事故を防ぐことができる。
【図面の簡単な説明】
【００１８】
【図１】本発明にかかる移動用便器の第１の実施の形態をあらわす斜視図である。
【図２】図１の移動用便器の前腕支持アームを前倒れ防止位置にした状態の斜視図である。
【図３】図１の移動用便器の前腕支持アームを前倒れ防止位置にした状態の平面図である。
【図４】図１の移動用便器の一方の可動手摺り部を移乗位置まで押し下げた状態の斜視図である。
【図５】図１の移動用便器の断面図である。
【図６】図１の移動用便器の側方手摺り部分の要部断面図である。
【図７】使用者が図１の移動用便器に便座に着座した状態を説明する斜視図である。
【図８】図１の移動用便器を用いた水洗トイレシステムを概略的に説明する図である。
【図９】図８の水洗トイレシステムの配管系統を概略的に説明する図である。
【図１０】本発明にかかる移動用便器の第２の実施の形態をあらわす斜視図である。
【発明を実施するための形態】
【００１９】
以下に、本発明を、その実施の形態を参照して詳しく説明する。
図１〜図７は、本発明の手摺り構造を有する移動用便器の第１の実施の形態をあらわしている。
【００２０】
図１〜図５に示すように、この移動用便器Ａは、便器本体１と、便器本体１の周囲を囲むカバー部２を備えている。
便器本体１は、図１〜図６に示すように、トイレポット部１１と便座１２を備えている。
【００２１】
トイレポット部１１は、図６に底より少し上に排出口１１ａを備えている。
排出口１１ａは、後述する真空ポンプＶＰのサクション側の配管径と同じか少し小口径になっていて、図６および図９に示すように、第１電磁開閉弁Ｖ１を介してフレキシブルホース１３に接続されている。
【００２２】
また、トイレポット１１には、図９に示すように、トイレ洗浄水の吐出口１４が設けられていて、吐出口１４から吐出されたトイレ先浄水がトイレポット部１１の内壁面に沿い旋回しながら流下するようになっている。
便座１２は、その後端が、トイレポット部１１に枢支されている。
【００２３】
カバー部２は、カバー部本体２１と、側方手摺り２２と、背凭れ部材２７と、押し手フレーム２８と、蓋２９を備えている。
カバー部本体２１は、アジャストボルト３１を介して底板３に支持されているとともに、車輪４を底部に備えている。
【００２４】
また、カバー部本体２１は、排水口１１ａに繋がる第１電磁開閉弁Ｖ１，図９に示す第２電磁開閉弁Ｖ２、制御装置８が内部に収容されている。
第２電磁開閉弁Ｖ２は、吐出口１４に繋がる給水管１５の間に設けられている。
制御装置８は、図示していない、電気コードを介して外部電源に接続されるとともに、給電ケーブルを介して、少なくとも第１電磁開閉弁Ｖ１，第２電磁開閉弁Ｖ２に接続されているとともに、真空ポンプＶＰに接続される。
そして、制御装置８は、スイッチＳを操作することによって、後述するように、真空ポンプＶＰ，第１電磁開閉弁Ｖ１および第２電磁開閉弁Ｖ２を少なくとも駆動制御するようになっている。
【００２５】
側方手摺り２２は、便座１２をその両側方から挟むように、カバー部本体２１に支持されていて、固定手摺り部２３と、可動手摺り部２４とを備えている。
固定手摺り部２３は、脚部２３ａおよび後述するフレーム脚部２８ａを介してカバー部本体２１に支持固定されている。
【００２６】
可動手摺り部２４は、側方手摺り本体部２５と、前腕支持アーム２６を備えている。
側方手摺り本体部２５は、図６に示すように、スライド支持脚２５ａを介してカバー部本体２１に支持されていて、側方手摺り本体部２５に設けられたロック解除ボタン２５ｂを押すことによって、スライド支持脚２５ａの下端に設けられたロック手段（図示せず）が解除され、スライド支持脚２５ａが下方にスライドして、側方手摺り本体部２５がカバー部本体２１の上面に当接するまで押し下げることができるようになっている。
【００２７】
前腕支持アーム２６は、図１に示す側方手摺り本体部２５と重なった肘掛け位置と、図２および図３に示す前倒れ防止位置を１２０度〜１４０度（前腕支持アーム２６の長さ等によって適宜決定される）の範囲で正逆回動するように側方手摺り本体部２５の先端部に軸２５ｃによって枢支されている。すなわち、前腕支持アーム２６は、回動によって、側方手摺り部本体部２５から外側へはみ出ることがないようになっている。
また、前腕支持アーム２６は、肘掛け位置で、ロック解除ボタン２５ｂの直上位置に来る部分にロック解除ボタン２５ｂの操作ボタン２６ａを備えている。
【００２８】
操作ボタン２６ａは、前腕支持アーム２６が重ね合わせ位置にあるとき、ロック解除ボタン２５ｂにその下端が受けられ、上方から押圧することでロック解除ボタン２５ｂを押し下げることができるようになっている。
そして、前腕支持アーム２６は、側方手摺り本体部２５が便器本体１に当接されるまで押し下げられたとき、その上面が、便座１２の上面とほとんど同じ高さとなる厚みに形成されている。
【００２９】
押し手フレーム２８は、左右一対のフレーム脚部２８ａと、押し手部２８ｂを備えている。
フレーム脚部２８ａは、上端が下端より便器本体の後方に傾いた状態で、下端が側方手摺り２２の後方でカバー部本体２１に支持固定されている。
【００３０】
押し手部２８ｂは、略コの字形をしていて、両フレーム脚部２８ａの上端からコの字の横辺部分が、カバー部本体２１の後方に少し飛び出るように延出している。
背凭れ部材２７は、両フレーム脚部２８ａ間に嵌り込んだ状態で両フレーム脚部２８ａの幅方向端部が固定されている。押し手フレーム２８に支持されている。
【００３１】
蓋２９は、カバー部本体２１の後端部に枢支されていて、閉じた状態で便座１２を覆うとともに、便座１２を開放（使用可能状態）する際に、２つ折に折り畳まれて、背凭れ部材２７の下方に入り込み、背凭れの一部を構成するようになっている。
そして、この移動用便器Ａは、例えば、図８、図９に示す真空トイレシステムに組み込まれて使用される。
すなわち、真空トイレシステムは、例えば、図８に示すように、トイレ室Ｔと寝室Ｒを備えた老人介護施設の一室に用いられていて、トイレ室Ｔ外壁に沿って真空ポンプＶＰが設けられている。
【００３２】
真空ポンプＶＰは、図９に示すように、排出側配管Ｐ３が下水配管経路（多層建築物では、排水立管）７に接続されている。
真空ポンプＶＰに繋がる真空配管Ｐ１は、トイレ室Ｔの壁面に沿って設けられていて、トイレ室Ｔと、寝室Ｒに２箇所に移動用便器Ａのフレキシブルホース１３の継手接続される接続口（図示せず）が設けられている。
すなわち、移動用便器Ａを寝室Ｒに移動させて寝室Ｒの接続口にフレキシブルホース１３を接続することによって、移動用便器Ａを寝室Ｒのベッド９サイドで真空水洗トイレとして使用でき、移動用便器Ａをトイレ室Ｔに移動させてトイレ室Ｒの接続口にフレキシブルホース１３を接続することによって、移動用便器Ａをトイレ室Ｔで真空水洗トイレとして使用できるようになっている。
【００３３】
真空配管Ｐ１の使用しない接続口は、キャップ（図示せず）気密状態に閉じられるようになっている。
また、上記接続口の近傍には、図示していないが、それぞれ電源コンセント、信号線コンセント、給水栓が設けられている。
なお、図９中、Ｊ１〜Ｊ４は継手接続部、Ｐ２は真空ポンプＶＰの吸い込み側配管である。
【００３４】
この移動用便器Ａは、上記のようになっており、例えば、以下のようにして使用される。
（１）図８に示すように、一方の側方手摺り側がベッド９に沿うように設置する。
なお、設置時には、アジャストボルト３１を調整して、便座１２の上面がベッド９の上面とほぼ同じとなるようにしておく。
（２）真空ポンプＶＰに接続された真空配管Ｐ１の接続口に移動用便器Ａのフレキシブルホース１３を接続する。
また、制御装置８を電源に接続するとともに、給水栓Ｖ３にフレキシブルホースＨを介して給水管１５を接続する。
（３）図５に示すように、使用者Ｍ自身がで、あるいは、介助者が。ベッド９側の可動側方手摺り部２４を押し下げ状態にするとともに、蓋２９を開放状態にする。
（４）使用者Ｍ自身で、あるいは、使用者Ｍが介助者によって介助されながら、ベッド９から便座１２に移乗する。
移乗にあたり、可動手摺り部２４の上面、すなわち、前腕支持アーム２６の上面がベッド上面とほぼ同じ高さになっているので、使用者Ｍがスムーズに移乗できる。
（５）移乗が完了したら、可動手摺り部２４を上方に引き上げて、図１に示すように、肘掛け位置にする。
（６）必要に応じて、図２、図３および図７に示すように、両側の前腕支持アーム２６を回動させて、前倒れ防止位置にする。
すなわち、前倒れ防止位置では、２つの前腕支持アーム２６が使用者Ｍの前方でハの字形となり、図７に示すように、使用者Ｍが前傾姿勢で用便する際には、前腕部を両前腕支持アーム２６に支持させて過度な前傾を防止することができる。
（７）用便が終わり、大便後であれば、リモコンスイッチＳの大のボタン、便後であれば、大のボタンを、小便のみであれば、小のボタンを、使用者自身、あるいは、介助者が押す。
（８）大のボタンが押される、あるいは、小のボタンが押されると、制御装置からの信号を受けて真空ポンプＶＰが作動し、真空ポンプＶＰから第１電磁開閉弁Ｖ１に至る排水経路内が減圧される。そして、ある程度負圧になると、第２電磁開閉弁Ｖ２が開放され、給水口からトイレポット部１１内に給水が開始される。
（９）上記給水開始後、所定のタイミングで、第１電磁開閉弁Ｖ１が開放され、トイレポット部１２内の汚物が真空ポンプＶＰ側に吸引され、真空ポンプＶＰの吐出側配管Ｐ３を介して排水経路７に排出され、自然圧で排水される。
（１０）所定時間真空吸引を行ったのち、第１電磁開閉弁Ｖ１が閉じられたのち、時間差を設け、第２電磁開閉弁Ｖ２を閉鎖し、トイレポット部１２内を水封状態とする。
（１１）第２電磁開閉弁Ｖ２が閉鎖後、時間差を設け真空ポンプＶＰを停止される。
なお、真空ポンプＶＰ，第１電磁開放弁Ｖ１および第２電磁開放弁Ｖ２の作動タイミング、作動時間は、トイレポット部１１の大きさ、トイレポット部１１から真空ポンプＶＰまでの距離、大便、小便の差などによって適宜決定されて、制御装置８によって制御される。
（１２）用便が終了すれば、使用者Ｍ自身あるいは介助者が前腕支持アーム２６を肘掛け位置に戻したのち、ベッド９側の可動手摺り部２４を押し下げて、ベッド９に移乗する。
なお、歩行障害がなく、自力歩行して便座１２に座れる使用者Ｍであれば、移動用便器Ａを寝室Ｒからトイレ室Ｔに移動させて使用するようにしてもよい。
【００３５】
この移動用便器Ａは、上記のように、前腕支持アーム２６を備え、使用者Ｍが便座１２に着座時に、使用者Ｍの前方で、前腕支持アーム２６を他方の前傾支持アームとの間で、ハの字形を形成する前倒れ防止位置とすることができる。そして、両前腕支持アーム２６がハの字形になるため、使用者Ｍが前腕部全体を前腕支持アーム２６に支持させるようにしても、肩関節等に大きな負担をかけることなく安定して体を支えることができる。
すなわち、円背のように、前傾しやすい使用者Ｍも前倒れすることなく、長時間楽な姿勢で便座１２に着座することができる。
また、使用者Ｍの前方でハの字形の空間を形成するため、使用者Ｍに圧迫感を与えない。
【００３６】
しかも、前腕が肘から手首まで前腕支持アーム２６に支持されるため、長時間使用していても、使用者Ｍの体重により、前腕にかかる圧力が肘から手首まで分散され、局部的に血行不良を起こし、皮膚組織の壊死を招くという事故を防ぐことができる。
さらに、可動手摺り部２４がその上面を便座１２の上面とほぼ同じ高さまで押し下げることができるので、ベッドサイドに設置すれば、ベッド９からの移乗も容易に行える。
【００３７】
また、この移動用便器Ａは、車輪４を備えており、この車輪４により容易に所望の位置まで移動させることができる。しかも、真空ポンプＭが別体に設けられているとともに、給水タンクも備えていたいため、軽量で、より移動が容易である。
【００３８】
図１０は、本発明の移動用便器の第２の実施の形態をあらわしている。
図１０に示すように、この移動用便器Ｂは、以下の点を除き、上記移動用便器Ａと同様になっている。側方手摺り２００が跳ね上げ式になっていて、跳ね上げによって、便器の側方から便座への移乗が可能になっている。
【００３９】
また、側方手摺り２００は、肘掛け部本体２１０と、前腕支持アーム２２０を備えている。
肘掛け部本体２１０は、先端側が前腕支持アーム２２０の厚み分だけ切り欠かれた形状をしている。
前腕支持アーム２２０は、肘掛け部本体２１０の先端部に枢支されていて、上記の実施の形態と同様に、図１０に示すように、前傾支持位置にすることができる。
【００４０】
本発明は、上記の実施の形態に限定されない。例えば、上記の実施の形態では、本発明の手摺り構造が、移動用便器に予め組み込まれていたが、既存のトイレに用いる後付け用の手摺り装置に本発明の手摺り構造を採用するようにしても構わない。
上記の実施の形態では、便器本体が真空ポンプユニットに接続されて、便器内の汚物を真空吸引できるような構造になっていたが、取り外し可能なトイレポットを備えた一般にポータブル便器と称されるような便器にも上記手摺り構造を採用することができる。
【００４１】
上記の実施の形態では、側方手摺りが、カバー本体部に支持されていたが、カバー部材を備えない便器においては、便器本体に支持されていても構わない。
上記の実施の形態では、前腕支持アームの前倒れ防止位置が１箇所であったが、前腕支持アームの回転角度を段階的に変更できるように回転ロック手段を設けるようにして複数の前倒れ防止位置を選択できるようにしてもよい。
【符号の説明】
【００４２】
Ａ、Ｂ  移動用便器
１  便器本体
１１  トイレポット部
１１ａ  排出口
１２  便座
１３  フレキシブルホース
１４  吐出口
１５  給水管
２  カバー部
２１  カバー部本体
２２  側方手摺り
２３  固定手摺り部
２３ａ  脚部
２４  可動手摺り部
２５  側方手摺り本体部
２５ａ  スライド支持脚
２５ｂ  ロック解除ボタン
２５ｃ  軸
２６  前腕支持アーム
２６ａ  操作ボタン
２７  背凭れ部材
２８  押し手フレーム
２８ａ  フレーム脚部
２８ｂ  押し手部
２９  蓋
３  底板
３１  アジャストボルト
４  車輪
７  下水配管経路（多層建築物では、排水立管）
８  制御装置
９  ベッド
２００  側方手摺り
２１０  肘掛け部本体
２２０  前腕支持アーム
Ｒ  寝室
Ｓ  スイッチ
Ｔ  トイレ室
Ｊ１〜Ｊ４  継手接続部
Ｐ１  真空配管
Ｐ２  吸い込み側配管
Ｐ３  排出側配管
Ｖ１  第１電磁開閉弁
Ｖ２  第２電磁開閉弁
Ｖ３  給水栓
ＶＰ  真空ポンプ
【図１】
2016202225.tif 000003
【図２】
2016202225.tif 000004
【図３】
2016202225.tif 000005
【図４】
2016202225.tif 000006
【図５】
2016202225.tif 000007
【図６】
2016202225.tif 000008
【図７】
2016202225.tif 000009
【図８】
2016202225.tif 000010
【図９】
2016202225.tif 000011
【図１０】
2016202225.tif 000012